(57)【要約】【課題】表示像に立体感及び奥行き感を与えてデザイン性の向上を図ることが可能な表示装置を提供するものである。【解決手段】第１の発光表示像１７をなす第１の発光表示器１と、透過光により第２の発光表示像２５をなす透明体２１を有する第２の発光表示器２と、これら第１，第２の発光表示器１，２の間に配置され、第１の発光表示像１７を観察者側に透過し第２の発光表示像２５を観察者側に反射することにより第１，第２の発光表示像１７，２５を合成表示するハーフミラー２とを備えた表示装置Ｍにおいて、透明体である導光体２１を立体造形としたものである。【選択図】  図１
2004151034.tif 000002
【特許請求の範囲】
【請求項１】
第１の発光表示像をなす第１の発光表示器と、透過光により第２の発光表示像をなす透明体を有する第２の発光表示器と、これら第１，第２の発光表示器の間に配置され、前記第１の発光表示像を観察者側に透過し前記第２の発光表示像を観察者側に反射することにより前記第１，第２の発光表示像を合成表示するハーフミラーとを備えた表示装置において、前記透明体を立体造形としたことを特徴とする表示装置。
【請求項２】
前記第１の発光表示器は、計測値に応じて回転する指針を備え、前記指針に対応して複数配列される指標部を設けたことを特徴とする請求項１記載の表示装置。
【請求項３】
前記第２の発光表示像を前記指針の回転中心周囲に表示したことを特徴とする請求項２記載の表示装置。
【請求項４】
前記透明体に模様を形成したことを特徴とする請求項３記載の表示装置。
【請求項５】
前記模様は、前記指針の回転中心から周囲に向かうに従って濃度が変化することを特徴とする請求項４記載の表示装置。
【請求項６】
前記模様は、前記指針の回転中心から周囲に向かうに幾何学模様としたことを特徴とする請求項４記載の表示装置。
【請求項７】
前記透明体を着色したことを特徴とする請求項１から６のいずれかに記載の表示装置。
【発明の詳細な説明】
【０００１】
【発明の属する技術分野】
本発明は、例えば車両に搭載され、ハーフミラーを通じて表示像を合成して表示する表示装置に関する。
【０００２】
【従来の技術】
従来、この種の表示装置は、ハーフミラーを用いて実像と虚像を組み合わせることによって表示に立体感及び奥行き感を持たせており、例えば、ハーフミラーの後方に計器の発光指針を配置し、ハーフミラーの前方に指針対応表示部を配置して、その指針対応表示部の周囲に周壁を設けることによって、表示面の周囲に立体感及び奥行き感を与えてデザイン性の向上を図っていた（例えば、特許文献１参照）。
【０００３】
【特許文献１】
特開平３−２７３９４５号公報（第１図）
【０００４】
【発明が解決しようとする課題】
しかしながら、前記従来の表示装置では、ハーフミラーを使用して、表示面の周囲に立体感を与えるものであり、表示像そのものに関しては平面に過ぎず、立体感及び奥行き感に乏しいものであった。そこで、本発明は前記課題についてなされたもので、その主な目的は、表示像に立体感及び奥行き感を与えてデザイン性の向上を図ることが可能な表示装置を提供するものである。
【０００５】
【課題を解決するための手段】
本発明は前記目的を達成するため、第１の発光表示像をなす第１の発光表示器と、透過光により第２の発光表示像をなす透明体を有する第２の発光表示器と、これら第１，第２の発光表示器の間に配置され、前記第１の発光表示像を観察者側に透過し前記第２の発光表示像を観察者側に反射することにより前記第１，第２の発光表示像を合成表示するハーフミラーとを備えた表示装置において、前記透明体を立体造形としたものである。
【０００６】
また、前記第１の発光表示器は、計測値に応じて回転する指針を備え、前記指針に対応して複数配列される指標部を設けたものである。
【０００７】
また、前記第２の発光表示像を前記指針の回転中心周囲に表示したものである。
【０００８】
また、前記透明体に模様を形成したものである。
【０００９】
また、前記模様は、前記指針の回転中心から周囲に向かうに従って濃度が変化するものである。
【００１０】
また、前記模様は、前記指針の回転中心から周囲に向かうに幾何学模様としたものである。
【００１１】
また、前記透明体を着色したものである。
【００１２】
【発明の実施の形態】
本発明による表示装置は、第１の発光表示像１７をなす第１の発光表示器１と、透過光により第２の発光表示像２５をなす透明体２１を有する第２の発光表示器２と、これら第１，第２の発光表示器１，２の間に配置され、第１の発光表示像１７を観察者側に透過し第２の発光表示像２５を観察者側に反射することにより第１，第２の発光表示像１７，２５を合成表示するハーフミラー２とを備えた表示装置Ｍにおいて、透明体である導光体２１を立体造形としたものである。このように構成したことにより、表示像に立体感及び奥行き感を与えてデザイン性の向上を図ることが可能な表示装置Ｍを提供することができる。
【００１３】
また、第１の発光表示器１は、計測値に応じて回転する指針１２を備え、指針１２に対応して複数配列される指標部１５，１６を設けたものである。このように構成したことにより、表示像に立体感及び奥行き感を与えてデザイン性の向上を図ることが可能な表示装置Ｍを提供することができる。
【００１４】
また、第２の発光表示像２５を指針１２の回転中心周囲に表示したものである。このように構成したことにより、表示像に立体感及び奥行き感を与えてデザイン性の向上を図ることが可能な表示装置を提供することができる。
【００１５】
また、透明体である導光体２１に模様２２２を形成したものでもよい。このように構成したことにより、表示像に立体感及び奥行き感を与えてデザイン性の向上を図ることが可能な表示装置Ｍを提供することができる。
【００１６】
また、模様２２２は、指針１２の回転中心から周囲に向かうに従って濃度が変化するものである。このように構成したことにより、表示像に立体感及び奥行き感を与えてデザイン性の向上を図ることが可能な表示装置Ｍを提供することができる。
【００１７】
また、模様２２２は、指針１２の回転中心から周囲に向かうに幾何学模様２２３としたものである。このように構成したことにより、表示像に立体感及び奥行き感を与えてデザイン性の向上を図ることが可能な表示装置Ｍを提供することができる。
【００１８】
また、導光体２１を着色したものである。このように構成したことにより、表示像に立体感及び奥行き感を与えてデザイン性の向上を図ることが可能な表示装置Ｍを提供することができる。
【００１９】
【実施例】
以下、図１から図５に基づいて本発明の第１実施例を説明する。なお、第１実施例は、本発明の表示装置を車載用の計器装置に適用したものである。
【００２０】
図１において、本実施例による計器装置Ｍは、第１の発光表示器１と、第２の発光表示器２と、これら発光表示器１，２間に配置されるハーフミラー３とを有する。
【００２１】
第１の発光表示器１は、計測値として車速に応じて回転軸１１Ａを回転させる駆動装置１１と、この駆動装置１１の回転軸１１Ａを介して回転する指針１２と、この指針１２の背後に配置される表示板１３と、指針１２及び表示板１３を照明する複数の光源１４とを有し、表示板１３には指針１２の指示対象となる目盛１５、文字１６及び図形（図示していない）等の指標部１５，１６が複数形成されている。目盛１５は表示板１３の傾斜面１３Ａに形成され、文字１６は表示板１３の水平面１３Ｂに形成されている。本実施例では、水平面１３Ｂは、回転軸１１Ａに対して直交する方向（図１中では、上下方向）の平面である。目盛１５と文字１６は、その表示状態において、指針１２の移動軌道に応じて円弧状に配列される。
【００２２】
光源１４は発光ダイオードであり、各光源１４が点灯すると、図２に示すように、計測値に応じて回転移動する指針１２と、複数の指標部１５，１６とでなる第１の発光表示像（指針式表示像）１７とを形成する。
【００２３】
なお、本実施例では、指針１２は光源１４からの光で発光可能な透明合成樹脂材からなる指示部１２Ａと遮光性合成樹脂材からなる指針キャップ１２Ｂとで形成され、光源１４によって指針キャップ１２Ｂより露出する指示部１２Ａが発光し、図２記載の第１の発光表示像１７を構成する指針１２が表示される。また表示板１３には、遮光性インクと透光性インクとによって印刷層が形成され、光源１４によって透光性インクからなる印刷層により第１の発光表示像１７を構成する指標部１５，１６が表示される。
【００２４】
第２の発光表示器２は、導光体２１と、装飾板２２と、導光体２１と装飾板２２を照明する光源２３と、これを収納するケース２４とを有する。
【００２５】
導光体２１はアクリルなどの合成樹脂からなり、透明体である。この導光体２１は、図４で示すように、半円部２１１と矩形部２１２を合わせたような板状体で、図４中の断面部分で示すように、ハーフミラー３に対向する面は、半円部２１１の端の部分がすり鉢状の傾斜面２１３で、中央部が平坦な平面部２１４であり、立体的に形作られている。また、矩形部２１２の一辺には、光源２３からの光を取り入れる受光部２１５を備えている。なお、導光体２１の傾斜面２１３に対応する裏面２１６部分には、例えば、微細な凹凸を設け、光源２３の光を拡散する処理を施してある。
【００２６】
装飾板２２はポリカーボネイトなどの合成樹脂からなり、光が透過する青色に着色されている。この装飾板２３は、ハーフミラー３と導光体２１の間で、導光体２１に近接して設けられている。この装飾板２２の外形は、導光体２１とほぼ同形状であり、また、導光体２１と同様に、すり鉢状の傾斜面２２１を備え、立体造形を構成している。そして、この傾斜面２２１に対応する部分の導光体２１側の面には、模様２２２が印刷などによって形成されている。この装飾板２２によって、導光体２１に模様２２２を形成し、着色を施している。この模様２２２は、中央部から周辺部に向かうに従って暗色（本実施例では黒色）の濃度が濃くなるように変化している（図３参照）。
【００２７】
図２，３中では、模様の暗色の濃度は斜線で描かれているが、微細な点の集まりであってもよい。また、本実施例では、濃度の変化は、指針１２の回転中心から周囲に向かうに従って濃くなるように変化しているが、例えば、指針１２の回転中心部分の濃度が濃く、周囲に向かうに従って淡くなるように変化するものであっても良い。
【００２８】
光源２３は複数設けられており、本実施例では、発光ダイオードを採用している。
【００２９】
ケース２４は、例えば遮光性を有する黒色の合成樹脂からなり、第２の発光表示器２の外周を覆っている。このケース２４には、第２の発光表示器２の表示像をハーフミラー３側に通過させる開口部２４１と、この開口部２４１を取り巻く傾斜面を備えた壁２４２とが形成されている。なお、ケース２４は黒色の合成樹脂ではなく、白色の合成樹脂にて形成しても良い。この場合、特に、導光体２１などを収納する部分は光源２３の光の反射を有効に活用でき、黒色の場合に比べて第２の発光表示器２の輝度の低下を抑えることができる。
【００３０】
開口部２４１は、指標部である目盛１５や文字１６の配列形状に沿った馬蹄形状に形成され、その大きさは図２における表示状態において、第１の発光表示像１７と第２の発光表示像２５とを合成したときに、実像と虚像を指針１２の回転中心周囲から目盛１５の内側までの大きさに設定されている（図２参照）。
【００３１】
ハーフミラー３は、例えば暗色系の色に着色された透光性基材の前面（観察者側）に図示しないアルミニウム薄膜からなる反射膜を蒸着した半透過反射型のパネル部材からなる。
【００３２】
このハーフミラー３は、観察者の視線方向Ｂから見たとき、第１の発光表示器１の表示面（前面）を覆い、且つその前面に形成した反射膜が第２の発光表示器２に対向するように、各発光表示器１，２間に配置されている。なおハーフミラー３の視線方向Ｂに対する傾き角度は例えば４５度に設定されている。またこの場合、第２の発光表示器２は、ハーフミラー３よりも前方（観察者側）であって、観察者からは直接見えない位置に配置される。なお、ハーフミラー３は、アルミニウム薄膜からなる反射膜を設けず、光が透過する暗色のアクリルなどの合成樹脂であってもよい。
【００３３】
そして、光源２３が点灯すると、導光体２１の裏面２１６に形成した微細な凹凸が、導光体２１そのもの及び装飾板２２を透過した透過光によって生じる第２の発光表示像２５が第２の発光表示器２から出て、さらにハーフミラー３に反射されて観察者に視認される。
【００３４】
このように構成された本実施例の表示装置では、第１の発光表示器１によって形成される第１の発光表示像１７は、ハーフミラー３を観察者側に透過し、観察者からは実像として視認される。この場合、ハーフミラー３が暗色であるため、第１の発光表示像１７のみが視認される。一方、第２の発光表示器２によって形成される第２の発光表示像２５は、ハーフミラー３の前面で観察者側に反射され、観察者からは虚像として視認される。そして、第２の発光表示像２５は指針１２の回転中心周囲に位置するように表示される。この場合も、第２の発光表示像２５のみが視認される。これにより、図２に示すように、ハーフミラー３を通じて各発光表示像１７，２５が合成表示される。
【００３５】
そこで、第１の発光表示像１７に対して、第２の発光表示像２５は、奥まった位置に視認される（図５参照）。さらに、第２の発光表示器２の透明体である導光体２１が立体造形であることにより、第１の表示像１７の一つである文字１６が第２の表示像２５に対して、浮遊した視覚効果を与えることができる。また、第２の表示像２５を生じる導光体２１を表示することで立体感及び奥行き感を与えることができる。
【００３６】
以上のように本実施例によれば、立体造形をハーフミラー３を介して視認することができ、立体感及び奥行き感を与えることができる。
【００３７】
また、太陽光の直射などの強い外光が計器装置Ｍに差し込んだ場合、計器装置Ｍの表示像、特に第２の発光表示像２５の光の強さが外光に負けて、白く見える場合があるが、装飾板２２が、着色されていることにより、（本実施例では、青色である。）太陽光の直射などの強い外光が計器装置Ｍに差し込んだ場合でも、第２の発光表示像２５が白く見えることを抑制することができる。なお、装飾板２２の色は、青色に限定されるものではなく、適宜自由に設定して良い。なお、光源２３と波長の近い色、あるいは色調の補正を行う色の着色を行うと、前述した外光による影響をより受けにくくすることができる。
【００３８】
また、前記実施例では、模様２２２や着色を導光体２１に設けるために、装飾板２２を採用していたが、装飾板２２を採用しなくとも、導光体２１の立体造形のみでも、十分に、第１実施例と同様の作用効果を得ることができる。また、装飾板２２を削減することができ、コスト削減をはかることができる。
【００３９】
また、図６で示す第２の実施例のように、装飾板２２を設けずに、導光体２１のハーフミラー３に向かう面で、かつ、第１の発光表示像１７に対応する部分（すなわち、指針１２の回転中心とその近傍である平面部２１４を除いた部分）に、断面が三角形の四角錐２１７を複数設けて、立体造形としても良い。この四角錐２１７を設けた部分の背面２１８は、例えば、微細な凹凸を設け、光源２３の光を拡散する処理を施してある。本実施例では、導光体２１は平板状であるが、第１実施例のように、すり鉢状としてもよい。本実施例においても、第１実施例と同様の作用効果を得ることができるとともに、また、装飾板２２を削減することができ、コスト削減をはかることができる。
【００４０】
なお、装飾板２２を必要としない場合は、導光体２１自体を着色することで、第１実施例と同様の作用効果を得ることができる。
【００４１】
また、装飾板２２の模様も、第１実施例の濃度が変化するものではなく、指針１２の回転中心から周囲に向かう幾何学模様２２３としたものであっても良い。この幾何学模様は、複数のほぼ三角形状で遮光性の暗色部分２２３Ａと光が透過する透過部分２２３Ｂとで形成されている。本実施例においても、第１実施例と同様の作用効果を得ることができる。
【００４２】
【発明の効果】
以上、本発明により、初期の目的を達成することができ、表示像に立体感及び奥行き感を与えてデザイン性の向上を図ることが可能な表示装置を提供することができる。
【図面の簡単な説明】
【図１】本発明の第１実施例の断面図である。
【図２】同実施例における合成された表示像を示す正面図である。
【図３】図１中矢印Ａ方向から第２の発光表示器を見たときの正面図である。
【図４】同実施例における第２の発光表示器の導光体の斜視図である。
【図５】同実施例における実像と虚像の表示像の位置関係を示す図である。
【図６】本発明の第２実施例の第２の発光表示器の導光体の断面図である。
【図７】本発明の第３実施例における第２の発光表示器の正面図である。
【符号の説明】
１    第１の発光表示器
２    第２の発光表示器
３    ハーフミラー
４    被覆部材
１１    駆動装置
１１Ａ  回転軸
１２    指針
１２Ａ  指示部
１２Ｂ  指針キャップ
１３    表示板
１３Ａ  傾斜面
１３Ｂ  水平面
１４    光源
１５    目盛（指標部）
１６    文字（指標部）
１７    第１の発光表示像
２１    導光体
２２    装飾板
２３    光源
２４    ケース
２５    第２の発光表示像
２１１    半円部
２１２    矩形部
２１３    傾斜面
２１４    平面部
２１５    受光部
２１６    裏面
２２１    傾斜面
２２２    模様
２２３    幾何学模様
２２３Ａ  暗色部分
２２３Ｂ  透過部分
２４１    開口部
２４２    壁
Ｂ    視線方向
Ｍ    計器装置
【図１】
2004151034.tif 000003
【図２】
2004151034.tif 000004
【図３】
2004151034.tif 000005
【図４】
2004151034.tif 000006
【図５】
2004151034.tif 000007
【図６】
2004151034.tif 000008
【図７】
2004151034.tif 000009